(57)【要約】【課題】燻煙の優れた性能を望みの場所で広く活用することができる散布物を提供しようとする。【解決手段】燻煙処理された竹材を微片化して成る微片物を含有した散布物であり、又、微片化された竹材を燻煙処理して成る微片化物を含有した散布物である。更に、植物栽培土に散布されて植物の生長促進材用に用いられる前記散布物であり、犬猫の通路に散布されて犬猫撃退用に用いられる前記散布物である。【選択図】　なし【特許請求の範囲】
【請求項１】
燻煙処理された竹材を微片化して成る微片物を含有した散布物。
【請求項２】
微片化された竹材を燻煙処理して成る微片化物を含有した散布物。
【請求項３】
植物栽培土に散布されて植物の生長促進用材として用いられる請求項１又は２に記載の散布物。
【請求項４】
犬猫の通路に散布されて犬猫撃退用に用いられる請求項１又は２に記載の散布物。
【発明の詳細な説明】
【０００１】
【発明の属する技術分野】
本発明は燻煙処理された竹材の優れた性質を活用した散布物に関する。
【０００２】
【従来の技術】
燻煙処理された竹材は優れた防腐性や燻香性のため、楽器、竹細工等の竹製品用の素材として用いられてきた。燻煙処理された竹材をこの竹製品に加工する際には、サイズや形状が不適で採用されなかった選別屑や加工屑が発生するが、竹材の燻煙処理は時間と手間がかかり、燻煙処理された竹材は高値なので、この屑の有効活用が望まれている。
【０００３】
【発明が解決しようとする課題】
本発明は、燻煙処理された竹材を竹製品に加工する際に発生する選別屑や加工屑の有効活用による製品を提供しようとする。
【０００４】
【課題を解決するための手段】
本発明の要旨とするところは、燻煙処理された竹材を微片化して成る微片物を含有した散布物であることにある。
【０００５】
又、本発明の要旨とするところは、微片化された竹材を燻煙処理して成る微片化物を含有した散布物であることにある。
【０００６】
前記散布物は、植物栽培土に散布されて生長促進用材に用いられ得る。
【０００７】
前記散布物は、犬猫の通路に散布されて犬猫撃退用に用いられ得る。
【０００８】
【発明の実施の形態】
本発明の散布物は、燻煙処理された竹材を微片化して成る微片物を含有した散布物である。このような散布物は、竹材を図１に示すような燻煙処理装置２により燻煙処理し、次いでこの燻煙処理された竹材を例えば図２に示すような粉砕機４により粉砕して微片化して得られる。図１に示す燻煙処理装置２は、燻煙材である木材１０を不完全燃焼室１２で不完全燃焼室させ、これにより発生した燻煙１４を竹材２０を収めた処理室１６に通路１８を経由して導入し、竹材２０と燻煙１４とを接触させて煙突２２から燻煙１４を排出させる構成となっている。燻煙材である木材１０としては、くぬぎ、なら、さくら等の木材が好適に用いられる。木材１０としては、その他の木材であってもよい。竹材を燻煙処理する装置としては、図１に示されるものでなくとも、従来知られている各種の燻煙処理装置を適用してもよい。例えば、特開２００１−３５４９７０号公報に開示の装置を用いてもよい。このように、本発明における燻煙処理は、木材を低酸素下で加熱して発生する、水蒸気を含む高温の燻煙に、竹材を長時間接触させる通常の燻煙処理により行なうことが出来る。
【０００９】
本発明において用いられる燻煙処理された竹材は、燻煙処理された竹材を楽器や箸置き等の加工品に加工するときに発生する加工屑からなるものであってもよい。あるいは、サイズが不適で所定の形状に加工出来ない竹材が用いられてもよい。
【００１０】
更に、本発明における燻煙処理は、囲炉裏やかまどの上方に位置して住居や什器や用具の構造材として使用された竹材が、長期にわたって囲炉裏やかまどの煙に曝されてなされる燻煙処理であってもよい。
【００１１】
粉砕機４は、予め長さ５〜１０ｃｍ程度に小片化された燻煙処理された竹材が、ホッパー３０に投入され、表面に粉砕用の歯列３３を供える高速の粉砕シリンダ３２、３４の間、及びケーシング３５と粉砕シリンダ３２、３４それぞれの間の隙間を通過させられて粉砕され、微片物化され排出ダクト３６から受け容器３８に排出される構成となっている。燻煙処理された竹材を微片物化するための装置としては、図２に示されるものでなくとも、従来知られている各種の粉砕装置、破砕装置、チッパー等を適用してもよい。
【００１２】
図３に燻煙処理された竹材を微片物化する装置の他の一例を示す。図３において、燻煙処理された竹材４０を微片物化するチッパー４２は、回転軸４１を介して高速で回転するシリンダ４４を備え、シリンダ４４の周面には削り刃４６が取り付けられている。又、試料を導入する導入口５０の先端には受け刃５２が取り付けられている。竹材４０は削り刃４６で削られ、又、削り刃４６と受け刃５２との間でせん断される。シリンダ４４の下方には作られたチップを適度な大きさで通過させるメッシュスクリーン５４が備えられている。竹材４０は、フィードローラ５８で導入口５０からシリンダ４４の方向に送り込まれる。
【００１３】
本発明においては、燻煙の優れた性能を活用するために、このようにして燻煙処理された竹材が用いられ、燻煙処理された竹材を介して燻煙の優れた性能が利用される。更に、燻煙処理された竹材としては、削られたり例えば図２に示すような粉砕装置４や、図３に示すようなチッパー４２により粉砕されてあるいはチップ化されて微細な片の集合体（微片物）とされたものが用いられる。微片物は単位重量当たりの表面積が大きく燻煙の効果を有効に引き出すことが出来る。この微片物は、散布物として屋内外の平坦な面に散布したり、蓋なしの容器に入れて用いられる。
【００１４】
図３に示すようなチッパー４２を用いる場合、削り刃４６の進行方向に対して、竹材４０の縦方向（竹繊維の配向方向）を交差させて、竹繊維を切断し、これにより得られたチップを竹繊維のささくれが殆んどないチップ状の微片物とすることが好ましい。竹繊維のささくれが殆んどないチップ状の微片物は、散布するときにチップ同士が絡み合うことがなく、均一に散布できるので好ましい。更に、竹材４０の縦方向（竹繊維の配向方向）を交差させて、竹繊維を切断することにより、竹の導管の切断面がチップの切断面に綺麗に揃って露出するので、この露出した導管の切断面から燻煙処理された竹材に含まれる燻煙成分が効果的に排出されるので好ましい。
【００１５】
燻煙処理された竹材の微片物化は電動カンナ、ボール盤、エンドミル等を用いて行なうことも出来る。又、燻煙処理された竹材を電動カンナ、ボール盤、エンドミル等により加工したときの切削屑を微片物として用いることも出来る。
【００１６】
この微片物を散布物として畑や花壇の土に散布すれば、この微片物に浸透している燻煙成分が気体状に、あるいは、土の水分に溶解して畑の土壌に沁み出してきて、生理作用を土壌の菌に及ぼし、土壌の殺菌や、その他の土壌調整作用に寄与する。微片物は石灰やその他の土壌調整剤と混合して用いられてもよい。砂や腐葉土等の増量剤に混合されて用いられてもよい。竹炭や木炭の微細な片あるいは籾殻から得られた燻炭と混合されて用いられてもよい。
【００１７】
又、この微片物を散布物として畑や花壇の土に散布すれば、植物の生長を促進することが出来る。これらの効果は、地面にこの微片物を撒いておいても得られ、又、この微片物が風で飛ばないように表土と混ぜておいても同様の効果が得られる。本発明者による試行によれば、この微片物を大根の畑に散布したところ、従来より径が１割ほど大きな大根を収穫出来た。更に、きゅうりの有機栽培の畑にこの微片物を散布したところ、従来は曲ったきゅうりが多くできたのに対して、真っ直ぐな形状のきゅうりを多く収穫することが出来た。又、パンジーの花壇にこの微片物を散布したところ、株あたりで従来の２倍の数の花をつけることが出来た。更に、クレマチスの花壇にこの微片物を散布したところ、それまでは一株につき２個の花が付いたものが、散布後には一株につき４２個の花を付けた。
【００１８】
畑や花壇にこの微片物を散布して土と混合する場合、散布する微片物の量は、土の量に対して、１０〜２０重量％であることが好ましい。微片物は土中で酸性を呈するのでこれ以上の比率で過剰に与えることは植物の育成にとって好ましくない影響を及ぼす場合がある。又、これ以上の比率で過剰に土と混合すると、土が目詰まりすることがあり好ましくない場合がある。
【００１９】
更に、本発明者による試行によれば、この微片物をピーマン、枝豆、なすびの畑にそれぞれ散布したところ、それぞれに成長促進作用が確認された。
【００２０】
この微片物を散布物として犬猫の通路に散布すれば、この微片物に浸透している燻煙成分が気体状に漂って、犬猫の忌避剤として作用する。本発明者による試行によれば、この微片物を猫が普段糞尿をしていた場所に散布したところ、それ以来猫がその場所を避けて通るようになった。この効果は、地面にこの微片物を撒いておいても得られ、又、この微片物が風で飛ばないように表土と混ぜておいても同様の効果が得られる。
【００２１】
これらの効果は、燻煙処理された竹に含まれる竹酢液あるいは竹酢液の前駆体となる成分が土中の水分に溶出し、あるいは、空中に揮発して植物や動物に作用するためと考えられる。例えば、上記の動物の忌避効果は、フェノール類、なかでもクレゾールの寄与が大きいと考えられる。この竹酢液あるいは竹酢液の前駆体となる成分は、竹材のヘミセルロース、セルロース、リグニン等が燻煙処理時の加熱によって分解されて生成される。
【００２２】
竹酢液あるいは竹酢液の前駆体となる成分には、アルコール類、酸類、中性の芳香族類、フェノール類、ポリフェノール類、アルデヒド類、ケトン類、環状エステル類、塩基性成分等の各種の成分が、存在が確認されているものだけでも８０種類以上含有されていて、これらの成分のなかには各種の生理活性物質もあり、さまざまな薬理効果が確認されている。これらの各種の成分が植物の生長促進や土壌の殺菌にも寄与すると考えられる。又、竹酢液あるいは竹酢液の前駆体となる成分には、化合物として特定し分類できるもののほかに、一般にラジカルと呼ばれる化学的に不安定で反応性に富んだ物質が数多く存在し、それ自身がまわりの化学物質と相互に反応して土中の成分とも反応して土壌を活性化させるものと思われる。
【００２３】
一方、本発明の微片物は、燻煙処理された竹材を微片化して成る微片物、あるいは、微片化された竹材を燻煙処理して成る微片化物を含有しているが、この微片物や微片化物は、竹材が微片化されたるときに生ずる切断面に多数の竹の導管の輪切り切断面が露出している。この露出した導管の切断面から上述の竹酢液の成分が排出されるので、本発明の微片物や微片化物を含む散布物は、竹材が微片化されることにより、多数の導管の切断面が生成されており、この導管の切断面を通って有効成分が土中あるいは空中に排出されるので、その排出能率が極めて高い。
【００２４】
本発明は、このように、竹酢液の持つ消臭、防虫。防菌、園芸植物の活性化等の効果を、燻煙処理された竹材を微片化して成る微片物、あるいは、微片化された竹材を燻煙処理して成る微片化物を用いて土中で発現させる極めて優れた手段である。竹酢液は液状であり保管や土への散布に手間がかかり、それらに関する操作中に手足や周辺の機具、床等を汚すことに注意を払わなければならないが、本発明の微片物あるいは微片化物は、そのような心配はなく、手軽に保管や、散布ができる。
【００２５】
更に、本発明の微片物あるいは微片化物は、竹材や燻煙処理された竹材の規格外品や、竹材や燻煙処理された竹材を加工する際の廃材や加工屑を有効活用して得ることが出来るので、廃棄物を活用して環境汚染を少なくするうえからも好ましい。
【００２６】
更に、この微片物や微片化物を皿の上面に散布していれて仏壇に配置すれば、落ち着いた燻香が発生して宗教的な雰囲気をかもしだすことが出来る。この微片物を他の燻香剤の粉末と混合して用いてもよい。
【００２７】
この微片物を散布物として骨董店のショーケースの内底面に散布して敷詰めれば、落ち着いた燻香が発生して旧い日の雰囲気をかもしだすことが出来る。この微片物をガラスビーズのような装飾を目的とした微粒と混合して用いてもよい。
【００２８】
微片物は、燻煙処理された竹材を楽器や箸置き等の加工品に加工するときに発生する鋸の挽き屑からなるものであってもよい。燻煙処理された竹材を加工するときに発生する刀による削り屑からなるものであってもよい。
【００２９】
本発明においては、燻煙処理されていない竹材を予め図２に示す粉砕機４のような粉砕装置や破砕装置や図３に示すチッパー等により粉砕あるいは破砕して微片化された微片物、もしくは燻煙処理されていない竹材を加工するときに発生する鋸屑のような加工屑を、図１に示す燻煙処理装置２のような燻煙処理装置により燻煙処理して微片化物とし、これを散布剤とすることも出来る。このような微片化物は竹材が微片化され表面積の多い状態で燻煙処理されているので、元の竹の棒筒の状態で燻煙処理してから粉砕あるいは破砕され微片化された微片物に比べて効果的な燻煙処理がなされ、散布物としての燻香や殺菌や土壌調整の効果に優れている。
【００３０】
本発明における微片物や微片化物は、微片であれば形状を問わない。粒子の形状が略等方の塊状であってもよい。棒状あるいは繊維状であってもよい。突起を有する塊状であってもよい。扁平なチップ状であってもよい。本発明における微片物は、粒子のサイズが１０〜１００μｍと細かいものであってもよい。０．１〜２ｍｍとやや粗い粒子であってもよい。２〜２０ｍｍとチップ状であってもよい。これらが混合されていてもよい。
【００３１】
本発明において、燻煙処理される竹材は、マダケ、モウソウチク、ハチク、キンメイチク等であってよく、その他特にその種類を問わない。又、燻煙処理される竹材は形状を問わない。
【００３２】
以上本発明の態様を説明したが、本発明はその趣旨を逸脱しない範囲で、当業者の知識に基づき種々の改良、修正、変形を加えた態様で実施し得るものであり、これらの態様はいずれも本発明の範囲に属するものである。
【００３３】
実施例１
モウソウチクを図１に示す装置により燻煙処理した。燻煙材である桜の薪木を不完全燃焼室１２で不完全燃焼室させ、これにより発生した燻煙１４を、モウソウチクを収めた処理室１６に通路１８を経由して導入し処理した。処理室１６の温度が１００℃に達した後、１００〜１４０℃の温度範囲に処理室１６の温度を保って４０時間処理し燻煙処理された竹材を得た。この燻煙処理された竹材を図２に示す粉砕機にて粉砕し、平均径５ｍｍの微片物を得た。粉砕シリンダ３２、３４の回転数は３０００ＲＰＭであった。得られた微片物をパセリの苗Ａのまわりに１苗ごとに３０グラム散布し、その苗を、微片物を散布しない苗Ｂとともに他は条件を同じになるようにして育成したところ、苗Ｂからの葉が半月経過後に虫に食われたのに対し、苗Ａからの葉は殆んど虫に食われなかった。又、苗Ａと、虫を取り除いた苗Ｂとを成長を比較したところ、苗Ａは苗Ｂに比べ１割程度成長がはやかった。
【００３４】
実施例２
マダケを鋸で切断した鋸屑を集めて、実施例１と同様の処理条件で燻煙処理した。得られた微片化物を、家庭の庭の猫が普段通り抜けている猫の通路の２０ｃｍ×１０ｃｍの区画に００グラム散布したところ、猫の通り抜けがなくなった。
【００３５】
【発明の効果】
本発明の散布物により、燻煙の優れた性能を望みの場所で活用することができる。
【００３６】
本発明の散布物は、植物栽培土に散布されて土壌の調整や殺菌に優れた効果を発揮する。
【００３７】
本発明の散布物は、犬猫の通路に散布されて優れた犬猫撃退効果を発揮する。
【図面の簡単な説明】
【図１】本発明の散布物の原料である燻煙処理された竹材、を得るために用いられる竹材を燻煙処理する装置の一例を示す説明図である。
【図２】本発明の散布物を得るために用いられる、燻煙処理された竹材を微片化する装置の一例である粉砕機を示す説明図である。
【図３】本発明の散布物を得るために用いられる、燻煙処理された竹材を微片化する装置の一例であるチッパーを示す説明図である。
【符号の説明】
２：燻煙処理装置
４：粉砕機
４２：チッパー
【図１】
2004081132.tif 000002
【図２】
2004081132.tif 000003
【図３】
2004081132.tif 000004